(57)【要約】【課題】  ジョイントを行う際の端子構造をきわめて簡単にして、部品点数の減少化とコストダウンを図り、かつ端子金具間の電気的導通性も確実に図ることのできるジョイントコネクタ用端子金具を提供することを目的とする。【解決手段】  複数本の電線２０を一つに束ねるとともに、一つに束ねた各電線２０の電気的導通性を確保するジョイントコネクタ用端子金具１０において、１本の電線が圧着される端子金具１が、導電材料からなる連結部３によって並列状に複数個連結され、かつ前記各端子金具１に、それぞれサイズが異なる少なくとも３つのワイヤーバレル４ａ〜４ｃと、少なくとも１つのインシュレーションバレル５とが形成されている。【選択図】        図１
2006108051.tif 000002
【特許請求の範囲】
【請求項１】
複数本の電線（２０）を一つに束ねるとともに、一つに束ねた各電線（２０）の電気的導通性を確保するジョイントコネクタ用端子金具（１０）において、
１本の電線（２０）が圧着される端子金具（１）が、導電材料からなる連結部（３）によって並列状に複数個連結され、
かつ各端子金具（１）に、サイズが異なる少なくとも３つのワイヤーバレル（４ａ〜４ｃ）と、少なくとも１つのインシュレーションバレル（５）とが形成されていることを特徴とするジョイントコネクタ用端子金具。
【請求項２】
端子金具（１）の先端に直交する平板状の連結部（３）によって、並列する複数の端子金具（１）の電気的導通性が確保され、
かつ前記端子金具（１）の保持面（２）が基端側に向かって末広状に形成されていることを特徴とする請求項１に記載のジョイントコネクタ用端子金具。
【請求項３】
各端子金具（１）には、細物電線を圧着するための小型ワイヤーバレル（４ａ）と、中物電線を圧着するための中型ワイヤーバレル（４ｂ）と、太物電線を圧着するための大型ワイヤーバレル（４ｃ）とが形成されていることを特徴とする請求項１または２に記載のジョイントコネクタの端子構造。
【発明の詳細な説明】
【技術分野】
【０００１】
本発明は、自動車等に搭載されるワイヤーハーネスのジョイントコネクタ用端子金具に関する。
【背景技術】
【０００２】
従来のジョイントコネクタとしては、ハウジングに開閉可能なカバーを取り付け、ハウジング内には複数の端子金具を収容し、カバーにジョイント端子（バスバー）をアッセンブリし、バスバーと端子金具とを嵌合させて電気的導通を図るものが知られていた。カバーはジョイント端子（バスバー）の後面の露出部分をおおい隠すようになっており、このカバーの内面にはジョイント端子（バスバー）を抜け止め状態で取り付け可能な複数の抜け止め爪を形成し、これらの爪によってジョイント端子（バスバー）をカバーに一体化させ、メンテナンス作業を容易にしたものが知られている。このとき用いられるジョイント端子（バスバー）は、導電金属板により形成され、当該ジョイント端子（バスバー）を各端子金具に挿入することによって、各端子金具の電気的導通性を確保していた(特許文献１参照)。
【特許文献１】特開２００２−３５２９２６号公報（第２，３頁、図１）
【発明の開示】
【発明が解決しようとする課題】
【０００３】
特許文献１に開示されたものは、バスバーの構造が複雑であり、また端子金具の先端部もこのバスバーを挿入するための受け入れ口を有し、この受け入れ口の内面とバスバーの接触も確実にできるように工夫しておく必要があった。そのために、バスバーと端子金具の構造の簡素化が図りにくく、コストダウンにも限界があった。
また上記ジョイントコネクタは、大きく分けて、複数の端子金具と、ジョイント端子（バスバー）と、ハウジングといった部品から構成されているが、組み付け性や部品管理の点、及びコストの点から見ると、部品点数を少しでも減少させることが望ましい。
【０００４】
そこで、本発明は、ジョイントを行う際の端子構造をきわめて簡単にして、部品点数の減少化とコストダウンを図り、かつ端子金具間の電気的導通性も確実に図ることのできるジョイントコネクタ用端子金具を提供することを目的とする。
【課題を解決するための手段】
【０００５】
上述の目的を達成するため、本発明は、複数本の電線を一つに束ねるとともに、一つに束ねた各電線の電気的導通性を確保するにあたって、１本の電線が圧着される端子金具を、導電材料からなる連結部によって並列状に複数個連結し、かつ前記各端子金具に、サイズが異なる少なくとも３つのワイヤーバレルと、少なくとも１つのインシュレーションバレルとを形成した。
【発明の効果】
【０００６】
本発明のジョイントコネクタ用端子金具は、複数の端子金具が導電材料からなる連結部によって連結されているため、各端子金具を電気的に導通状態とするバスバーを用いることなく、各端子金具の電気的導通性を確保することができ、構成部品の減少化を図り、性能低下を伴うことなく安価にジョイントを行うことができる。
また各端子金具には、サイズの異なる少なくとも３つのワイヤーバレルが形成されているため、端子金具にセットされた電線の電線径に応じたワイヤーバレルで電線を圧着することによって、端子金具と電線との接続信頼性を向上させることができる。
【発明を実施するための最良の形態】
【０００７】
本発明の実施例によるジョイントコネクタ用端子金具について図１乃至図３を参照して説明する。
【０００８】
図１に、この発明の実施例によるジョイントコネクタ用端子金具を示す。
図１に示す実施例では、複数本の電線２０を一つに束ねるとともに、一つに束ねた各電線２０の電気的導通性が確保されたジョイントコネクタ用端子金具１０において、１本の電線２０が圧着される端子金具１が、導電材料からなる連結部３によって並列状に複数個連結している。また各端子金具１には、それぞれサイズが異なる少なくとも３つのワイヤーバレル４ａ〜４ｃと、インシュレーションバレル５とが形成されている。
なお、ワイヤーバレルとは、電線のワイヤー部分２１を圧着する部分であり、インシュレーションバレルとは、電線の絶縁体被覆部分２２を圧着する部分である。
【０００９】
この実施例は、３つの端子金具１が並列状に連結されているジョイントコネクタ用端子金具１０であって、端子金具１の先端に直交する平板状の連結部１によって、並列する３つの端子金具１の電気的導通性が確保されている。
なおこの実施例では、連結部３に対する端子金具１の付根部分の折り曲がりを防止するため、各端子金具１の保持面２の先端に補強用ディンプル６を形成した。
【００１０】
また、各端子金具１の保持面２は基端側（インシュレーションバレル側）に向かって末広状に形成され、この扇型の保持面２を有する端子金具１には、サイズの異なる３つのワイヤーバレル４ａ〜４ｃと、１つのインシュレーションバレルとが形成されている。
すなわち端子金具１にセットされる電線２０の電線径に対応させるために、サイズの異なる３つのワイヤーバレルを形成し、基端側に向かって末広状に形成された保持面２の形状にあわせて加締片を徐々に長く形成した３つのワイヤーバレル（小型ワイヤーバレル４ａ、中型ワイヤーバレル４ｂ、大型ワイヤーバレル４ｃ）と、インシュレーションバレル５と各端子金具１に形成した。
【００１１】
この実施例では各端子１には、０．３〜０．５ｓｑの細物電線を圧着するための小型ワイヤーバレル４ａと、０．７５〜１．２５ｓｑの中物電線を圧着するための中型ワイヤーバレル４ｂと、１．２５ｓｑ以上の太物電線を圧着するための大型ワイヤーバレル４ｃとの、サイズの異なる３つのワイヤーバレルがそれぞれ形成されている。
【００１２】
なお端子金具１の保持面２に１本の電線２０をセットした後、各バレルを閉じるとともに、端子金具１にセットした電線２０の電線径に対応したサイズのワイヤーバレルと、インシュレーションバレル５とに圧力をかけ、前記２箇所のバレルの加締片先端を電線の中央部分に食い込ませるようにして加締める。（図２を参照）
【００１３】
細物電線を取り付ける場合、図２（ａ）に示すように、小型ワイヤーバレル４ａを加締めることによって電線のワイヤー部分２１を圧着するとともに、インシュレーションバレル５を加締めることによって電線の絶縁体被覆部分２２を圧着し、端子金具１に対して１本の細物電線２０を接続する。つまり、保持面２の先端側に形成された２本の短い加締片からなる小型ワイヤーバレル４ａによって細物電線のワイヤー部分２１が圧着される。
【００１４】
中物電線を取り付ける場合、図２（ｂ）に示すように、中型ワイヤーバレル４ｂを加締めることによって電線のワイヤー部分２１を圧着するとともに、インシュレーションバレル５を加締めることによって電線の絶縁体被覆部分２２を圧着し、端子金具１に対して１本の中物電線２０を接続する。つまり小型ワイヤーバレル４ａよりも基端側に形成された２本の加締片からなる中型ワイヤーバレル４ｂによって中物電線のワイヤー部分２１が圧着される。なお小型ワイヤーバレル４ａよりも中型ワイヤーバレル４ｂの加締片を長く形成した。
【００１５】
太物電線を取り付ける場合、図２（ｃ）に示すように、大型ワイヤーバレル４ｃを加締めることによって電線のワイヤー部分２１を圧着するとともに、インシュレーションバレル５を加締めることによって電線の絶縁体被覆部分２２を圧着し、端子金具１に対して１本の太物電線２０を接続する。つまり中型ワイヤーバレル４ｂよりも基端側に形成された２本の長い加締片からなる大型ワイヤーバレル４ｃによって太物電線のワイヤー部分２１が圧着される。
【００１６】
すなわちこの発明によるジョイントコネクタ用端子金具１０によれば、１本の電線２０を接続（圧着）する端子金具１が、導電材料からなる連結部３によって並列状に複数個連結しているため、従来技術によるジョイントコネクタのようにジョイント端子（バスバー）を使用することなく各端子間の電気的導通性を確保することができる。
また連結部３によって連結された各端子金具１には、サイズの異なる少なくとも３つのワイヤーバレルと、少なくとも１つのインシュレーションバレルとが形成されているため、端子金具１にセットされた電線２０の電線径に対応したワイヤーバレルで電線のワイヤー部分２１を圧着することができ、端子金具１と電線２０との強固な接続を確保することができる。これによって、ジョイントコネクタ用端子金具１０によって一つに束ねられた各電線間における電気的導通性の信頼性が向上する。
【００１７】
なおこの実施例では、ジョイントコネクタ用端子金具１０の各端子金具１に電線２０をそれぞれ接続した後、当該ジョイントコネクタ用端子金具１０を樹脂材料で成形したハウジング３０の中に収納することによって、ジョイントコネクタ用端子金具１０と他の部材の絶縁性を確保するとともに、外傷からの保護を図った。
【００１８】
図３に、この発明の実施例によるハウジング３０を示す。
この実施例によるハウジング３０は、ヒンジ３３を介して筐体下部３１とキャップ部３２とが一体化されている（図３（ａ）を参照）。
そして複数本の電線２０を接続したジョイントコネクタ用端子金具１０を前記筐体下部３１内に載置した後、キャップ部３２で蓋をし、止め具３６で前記筐体部３１とキャップ部３２とを固定することによって、ハウジング３０内にジョイントコネクタ用端子金具１０を収納した（図３（ｂ）を参照）。
なお、ジョイントコネクタ用端子金具１０に接続された複数本の電線２０が挿通する孔をハウジング３０に形成するため、筐体下部３１とキャップ部３２にそれぞれ切り欠き３４を設けた。
また、ハウジング３０の内部に固定用突起部材３５を形成し、ジョイントコネクタ用端子金具１０に形成されている係合孔７に前記固定用突起部材３５を嵌め込むことによって、ハウジング内に収納されるジョイントコネクタ１０の配置位置を固定した。なおジョイントコネクタ用端子金具１０には、少なくとも２つの係合孔７を形成することが好ましく、ハウジング３０には前記係合孔７に対応させて固定用突起部材３５を形成する。
【００１９】
なお筐体下部とキャップ部とが別個に成形されたハウジング（２部品からなるハウジング）の中に、複数本の電線２０を接続したジョイントコネクタ用端子金具１０を収納してもよい。
また複数本の電線２０を接続したジョイントコネクタ用端子金具１０の絶縁を図るにあたって、樹脂材料で成形したハウジングを使用せずに、前記ジョイントコネクタ１０にビニールテープを巻き付けたり、樹脂をモールドすることによって、より安価にジョイントコネクタ用端子金具１０の絶縁を図ることができる。
【図面の簡単な説明】
【００２０】
【図１】この発明の実施例によるジョイントコネクタ用端子金具を示す図である。
【図２】端子金具に電線を接続した状態を説明する図である。
【図３】ジョイントコネクタ用端子金具を収納するハウジングを示す図である。
【符号の説明】
【００２１】
１    端子金具
２    保持面
３    連結部
４ａ  小型ワイヤーバレル
４ｂ  中型ワイヤーバレル
４ｃ  大型ワイヤーバレル
５    インシュレーションバレル
６    補強用ディンプル
７    係合孔
１０  ジョイントコネクタ用端子金具
２０  電線
２１  ワイヤー部分
２２  絶縁体被覆部分
３０  ハウジング
３１  筐体下部
３２  キャップ部
３３  ヒンジ
３４  切り欠き
３５  固定用突起部材
３６  止め具
【図１】
2006108051.tif 000003
【図２】
2006108051.tif 000004
【図３】
2006108051.tif 000005